(57)【要約】  【課題】  建物の屋上やベランダ等に分解して搬入でき、連結することで設置スペースや栽培物の種類、管理者の要望等に応じた大きさに形成することができ使用性に優れ、且つ、余分な水が円滑に排水されるので育ちすぎたり根腐れ等が生じたりすることなく、家庭菜園や屋上緑化等を容易に行うことができる栽培容器を提供することを目的とする。  【解決手段】  本考案の栽培容器１は、底壁部４と対向側壁部５と端部側壁部６とを有する一対の端部ユニット２ａ，２ｂと、底壁部８と対向側壁部９とを有する１乃至複数の中間ユニット３と、端部ユニット２ａ，２ｂと中間ユニット３を連結する連結部１０と、を備え、連結部１０は、連結する２の対向側壁部５，９の端部を突き合わせた状態で各々の対向側壁部５，９の側面に添設される連結板１１と、連結板１１と対向側壁部５，９とを固定する固定部材１４と、を備えた構成を有する。【選択図】  図１
0003112587.tif 000002
【実用新案登録請求の範囲】
【請求項１】
野菜や草花等の植物を栽培するための栽培容器であって、
ａ．多角形状又は略半楕円形状に形成された底壁部と、前記底壁部の対向する２辺に立設された対向側壁部と、前記底壁部の他の辺に前記対向側壁部と一体若しくは別体に形成され立設された端部側壁部又は分割端部側壁部と、を有する一対の端部ユニットと、
ｂ．矩形状の底壁部と、前記底壁部の対向する２辺に立設された対向側壁部と、を有する１乃至複数の中間ユニットと、
ｃ．前記端部ユニットと前記中間ユニット、又は、前記一対の端部ユニット同士、若しくは、隣り合う前記中間ユニット同士を連結する連結部と、
を備え、
前記連結部は、連結する２の前記対向側壁部の端部を突き合わせた状態で各々の前記対向側壁部の側面に添設される連結板と、前記連結板と各々の前記対向側壁部とを固定する固定部材と、を備えていることを特徴とする栽培容器。
【請求項２】
前記端部ユニットの前記端部側壁部、及び、前記端部ユニット及び前記中間ユニットの前記対向側壁部は前記底壁部に２乃至複数箇所でビス止めされていることを特徴とする請求項１に記載の栽培容器。
【請求項３】
前記連結部は、前記連結板に固設された筒状又は環状の支柱挿入部を備えていることを特徴とする請求項１又は２に記載の栽培容器。
【請求項４】
前記支柱挿入部に下端部が挿入され栽培容器の上部に架設されたアーチ状又は略コ字形状の支柱を備えていることを特徴とする請求項３に記載の栽培容器。
【考案の詳細な説明】
【技術分野】
【０００１】
本考案は、建物の屋上や住宅のベランダ等に設置して野菜や草花等の等の植物を栽培するための栽培容器に関するものである。
【背景技術】
【０００２】
従来、職場や家庭等において環境を和ませて日々の生活に潤いを与えるために観賞用植物等の種々の植物が用いられている。オフィスやマンション等の住宅の室内において植物を栽培する場合は、一般的に鉢植えやプランタ等が用いられている。
また、家庭等において野菜等の栽培を楽しむために家庭菜園を作ることが広く普及している。家庭菜園を作る場合、家庭菜園が可能な庭等の土地があれば該土地に作ればよいが、土地が無いマンション等の集合住宅において家庭菜園を行うには、一般的にベランダや屋上、或いは室内等に鉢植えやプランタを設置したり、或いは、屋上等の床面に複数のブロックを並設して囲いを形成しその中に耐根シート等を敷設して客土を投入した簡易的な花壇等を設置したりしている。
さらに、近年、ヒートアイランド現象が深刻化しており、その対応策の一つとしてビルやマンション等の建物の屋上緑化が強く求められており、建物の屋上に鉢植えやプランタ等を多数設置したり、簡易的な花壇を設置したりすることが行われている。
【０００３】
しかしながら、屋上やベランダ等に多数の鉢植えやプランタ等を設置する場合、その搬入作業及び設置作業が極めて煩雑であると共に、設置後の灌水や施肥等を個々の鉢植えやプランタに対して行う必要があり管理作業が極めて煩雑であるという問題があった。また、鉢植えやプランタではその容積が小さいため、１の植物しか植え付けることができなかったり育ちが悪かったりするという問題があった。このような問題を解決するために、分解して持ち運び可能であると共に連結して大きな容積を有し、多数の植物の栽培が１つの容器で可能な箱状の栽培容器が用いられている。このような栽培容器としては、特許文献１に開示されたものがある。
【０００４】
特許文献１には「複数の容器単体を一連に連結して一つの栽培容器に構成するようにした栽培装置において、容器単体の底板の上面に排水溝を設け、該底板の端部に端面側が開口した嵌入溝を設けると共に容器単体を接続すると隣り合う容器単体の嵌入溝が連通するようになし、嵌入溝に継手を嵌入して容器単体を連結した水耕栽培装置」が記載されている。
【０００５】
また、特許文献２には「コ字状の横桁組合せ溝を両端部近傍の下辺部に有すると共に、複数のコ字状の切り込み溝を上辺部及び下辺部に有する帯板状の横桁と、下部をL字状に折曲し上端部に上向きコ字状の組合せ溝又は横桁挿通孔を有する左右一対の板状立脚体と、を備えた園芸用支柱保持具」が記載されている。
【０００６】
【特許文献１】実開平１−１３７１５１号公報
【特許文献２】実用新案登録第３０１３８１４号公報
【考案の開示】
【考案が解決しようとする課題】
【０００７】
しかしながら、上記従来の技術では以下のような課題を有していた。
（１）特許文献１は水耕栽培用の栽培容器であるので、底板に排水溝を形成する必要があると共にビニールシートやロックウールベッド等の装備する必要があり、部品点数が多く屋上やベランダへの搬入作業や設置作業が煩雑であり、また、設置時には若干傾斜した床を形成し該床に容器単体を並べて設置する作業、容器内部にビニールシートを敷設する作業、ロックウールベッドを装入する作業、ポットの側部に給液パイプを配置する作業等が必要であり、専門の知識がなければ正しい設置作業が困難であり、さらに、構造が複雑であると共に水耕栽培であるので根腐れし易く専門の知識がなければ正しい管理も困難であるという課題を有していた。
（２）容器単体がスチレン系樹脂の発泡体により形成されているので、強度が小さく耐久性が低いため長期に渡って使用できないと共に外観に欠けるという課題を有していた。
（３）特許文献２では、園芸用支柱保持具を用いなければ支柱を立設することができず、特に土を浅く投入した場合は土に直接支柱を立てることができないので支柱の立設が困難であると共に、植物を保護するためにプランタを防風ネットや防鳥ネット等で被覆する際には該ネット等の保持具を別途設置しなければならず使用性に欠けるという課題を有していた。
【０００８】
本考案は、上記従来の課題を解決するもので、建物の屋上やベランダ等に分解して搬入できるため搬入作業が容易であると共に簡単に連結でき連結することで設置スペースや栽培物の種類、管理者の要望等に応じた大きさに形成することができ使用性に優れ、且つ、余分な水が円滑に排水されるので育ちすぎたり根腐れ等が生じたりすることなく、家庭菜園や屋上緑化等を容易に行うことができる栽培容器を提供することを目的とする。
【課題を解決するための手段】
【０００９】
上記課題を解決するために本考案の栽培容器は、以下の構成を有している。
本考案の請求項１に記載の栽培容器は、野菜や草花等の植物を栽培するための栽培容器であって、ａ．多角形状又は略半楕円形状に形成された底壁部と、前記底壁部の対向する２辺に立設された対向側壁部と、前記底壁部の他の辺に前記対向側壁部と一体若しくは別体に形成され立設された端部側壁部又は分割端部側壁部と、を有する一対の端部ユニットと、ｂ．矩形状の底壁部と、前記底壁部の対向する２辺に立設された対向側壁部と、を有する１乃至複数の中間ユニットと、ｃ．前記端部ユニットと前記中間ユニット、又は、前記一対の端部ユニット同士、若しくは、隣り合う前記中間ユニット同士を連結する連結部と、を備え、前記連結部は、連結する２の前記対向側壁部の端部を突き合わせた状態で各々の前記対向側壁部の側面に添設される連結板と、前記連結板と各々の前記対向側壁部とを固定する固定部材と、を備えた構成を有している。
【００１０】
この構成により、以下のような作用を有する。
（１）一対の端部ユニットと１乃至複数の中間ユニットに分解することができるので、各ユニットを個別に搬送することにより建物の屋上やベランダ等への搬入及び設置を容易に行うことができる。
（２）端部ユニットと中間ユニット、又は、一対の端部ユニット同士、若しくは、隣り合う中間ユニット同士を対向側壁部の側面に添設した連結板と固定部材とで容易に連結でき連結するだけで栽培容器を容易に組み立てることができる。
（３）連結する中間ユニットの数を増減することにより、建物の屋上やベランダ等の設置スペースの広さ、栽培物の種類や植付け数、或いは管理者の管理能力等に応じて、それに適した大きさに形成することができる。
（４）容器の内部に土を投入するだけで栽培物を植え付けることができ、煩雑な設置作業や管理作業が必要なく家庭菜園や屋上緑化等を容易に行うことができる。
（５）突き合わせた対向側壁部を連結板と固定部材とにより連結しているので、対向側壁部の突き合わせ面の間の隙間から余分な水を円滑に排水でき、また、隣り合う底壁部同士は単に突き合わされているだけなので、この突き合わせ面の間の隙間からも余分な水を円滑に排水でき、水はけがよく栽培物が育ちすぎたり根腐れ等が生じたりすることを防止できる。
【００１１】
ここで、端部ユニットや中間ユニットの底壁部又は側壁部としては、木材や合板、合成樹脂材、或いは木材の廃材と合成樹脂の廃材とを粉砕して混練し板状に加熱成型した再利用材等が用いられる。合成樹脂材や再利用材を用いる場合は、内部に中空部を形成する、又は、中空部を形成すると共に該中空部を分割するようにその内部に複数の補強部を形成することができる。これにより、強度を低下させることなく軽量化を図ることができ、搬送性及び組立て分解作業性に優れる。
端部側壁部及び／又は対向側壁部は、厚みが１５ｍｍ〜５５ｍｍ好ましくは２５ｍｍ〜４５ｍｍに形成されると共に、高さが５０ｍｍ〜２００ｍｍ好ましくは８０ｍｍ〜１２０ｍｍに形成される。厚みが２５ｍｍより小さくなるにつれ底壁部に立設した端部側壁部や対向側壁部の安定性が低下する傾向があり、１５ｍｍより小さくなるとこの傾向が極めて顕著になり、厚みが４５ｍｍより大きくなるにつれ重量が大きくなると共に必要な設置スペースに対する容器の容積が小さくなり搬送性及び組立て分解作業性、使用性が低下する傾向があり、５５ｍｍより大きくなるとこの傾向が極めて顕著になるため好ましくない。また、高さが８０ｍｍより小さくなるにつれ投入する土の厚みが小さくなり栽培物が十分に根を張ることができず育ちが悪くなる傾向があり、５０ｍｍより小さくなるとこの傾向が極めて顕著になり、高さが１２０ｍｍより大きくなるにつれ重量が大きくなり搬送性及び組立て分解作業性、使用性が低下する傾向があり、２００ｍｍより大きくなるとこの傾向が極めて顕著になるため好ましくない。
底壁部の底面の四隅等に車輪やローラ等の移動手段や脚部を設けることもできる。これにより、栽培容器を移動させたり所定高さに設置して作業者が立ったまま作業したりすることができる。なお、移動手段や脚部は折畳み自在又は脱着自在に設けることもできる。
連結板としてはステンレス鋼等の金属板や合成樹脂板等が用いられる。また、固定部材としてはビスやボルトナット等が用いられる。この場合、連結板の所定部にビスやボルト等が挿通する左右一対の挿通孔を形成する。ボルトナットを用いることにより栽培容器を繰り返し分解及び組み立てることができ、何度でも再使用できる。
栽培容器に投入される土としては、腐植土等の泥炭を混合した純度の高い種々の有機物を多く含む客土等が好適に用いられる。このような客土は保肥力が高く、また保水性が高く且つ余分な水分の水はけが良いため、栽培物の育ちが良いが育ち過ぎたり根腐れしたりすることがなく、専門的な知識を有しない者であっても良質の野菜や草花等を栽培できる。
【００１２】
本考案の請求項２に記載の考案は、請求項１に記載の栽培容器であって、前記端部ユニットの前記端部側壁部、及び、前記端部ユニット及び前記中間ユニットの前記対向側壁部は前記底壁部に２乃至複数箇所でビス止めされた構成を有している。
【００１３】
この構成により、請求項１の作用に加え、以下のような作用を有する。
（１）端部側壁部及び対向側壁部が底壁部に２乃至複数箇所でビス止めされているので、端部側壁部及び対向側壁部と底壁部の間に水分を排水できる程度の隙間が生じ、余分な水分を円滑に排水することができ、水はけがよく栽培物が育ちすぎたり根腐れ等が生じたりすることを確実に防止できる。
【００１４】
ここで、底壁部と該側壁部の当接部に環状部材を装入してビス止めしてもよい。これにより、底壁部と該側壁部との間の隙間を排水に十分な大きさに形成でき排水性を向上できる。また、該側壁部に通気孔や通水孔を形成してもよく、通気性や排水性を向上できる。
【００１５】
本考案の請求項３に記載の考案は、請求項１又は２に記載の栽培容器であって、前記連結部は、前記連結板に固設された筒状又は環状の支柱挿入部を備えた構成を有している。
【００１６】
この構成により、請求項１又は２の作用に加え、以下のような作用を有する。
（１）直線状やアーチ状、略コ字形状等の支柱を支柱挿入部に挿着し、支柱に蔓を有する植物等を支持させることができ、また、アーチ状等の支柱を支柱挿入部に挿着すると共に該アーチ状等の支柱の中間部に直線状の支柱を結着して、容器の略中央部等に直線状の支柱の立設することができ、植物を支持させることができ、植物の傾倒を防止できる。
（２）支柱挿入部が連結板に固設されているので、支柱を立設するための他の用具が不要であり、支柱の設置作業を容易に行うことができる。
【００１７】
ここで、支柱挿入部の側面に貫通孔を形成し、該貫通孔に止めネジを螺着することにより、支柱挿入部に挿入された支柱を締め付けることができ、支柱を確実に固定することができる。特に、風の強い屋上等において支柱が強風で飛ばされるのを防止できる。
【００１８】
本考案の請求項４に記載の考案は、請求項３に記載の栽培容器であって、前記支柱挿入部に下端部が挿入され栽培容器の上部に架設されたアーチ状又は略コ字形状の支柱を備えた構成を有している。
【００１９】
この構成により、請求項３の作用に加え、以下のような作用を有する。
（１）アーチ状又は略コ字形状の支柱に防鳥ネットや防風ネット、ビニルシート、蔓等を巻き付けて保持するための網体、いわゆる蔓垣ネット等の被覆部材を支持させて設置することができ、栽培物を鳥や風、寒気等から保護したり蔓等を保持したりすることができ、良質の野菜や草花等を栽培することができる。
（２）アーチ状又は略コ字形状の支柱を支柱挿入部に挿着するだけで、栽培容器を被覆部材で被覆することができるので、専門的な知識を有さない者でもこれらの設置作業を短時間で容易に行うことができる。
【考案の効果】
【００２０】
以上説明したように本考案によれば、以下のような有利な効果が得られる。
請求項１に記載の考案によれば、
（１）一対の端部ユニットと１乃至複数の中間ユニットに分解することができるので、各ユニットを個別に搬送することにより建物の屋上やベランダ等への搬入及び設置を容易に行うことができる分解が容易で搬送性及び設置作業性に優れた栽培容器を提供することができる。
（２）端部ユニットと中間ユニット、又は、一対の端部ユニット同士、若しくは、隣り合う中間ユニット同士を対向側壁部の側面に添設した連結板と固定部材とで容易に連結でき連結するだけで栽培容器を容易に組み立てることができる組み立て作業性に優れた栽培容器を提供することができる。
（３）連結する中間ユニットの数を増減することにより、建物の屋上やベランダ等の設置スペースの広さ、栽培物の種類や植付け数、或いは管理者の管理能力等に応じて、それに適した大きさに形成することができる汎用性に優れた栽培容器を提供することができる。
（４）容器の内部に土を投入するだけで栽培物を植え付けることができ、設置作業性及び管理作業性に優れ、家庭菜園や屋上緑化等を容易に行うことができる栽培容器を提供することができる。
（５）連結板と固定部材とにより連結しているので、対向側壁部又は底壁部の突き合わせ面の間の隙間からも余分な水を円滑に排水でき排水性に優れ、水はけがよいので栽培物が育ちすぎたり根腐れ等が生じたりすることを防止できる栽培容器を提供することができる。
【００２１】
請求項２に記載の考案によれば、請求項１の効果に加え、
（１）端部側壁部が底壁部に２乃至複数箇所でビス止めされているので、端部側壁部及び対向側壁部と底壁部の間の隙間から余分な水分を円滑に排水することができ排水性に優れ、水はけがよいので栽培物が育ちすぎたり根腐れ等が生じたりすることを確実に防止できる栽培容器を提供することができる。
【００２２】
請求項３に記載の考案によれば、請求項１又は２の効果に加え、
（１）支柱挿入部に挿着した直線状やアーチ状、略コ字形状等の支柱により植物を支持させることができ、植物の傾倒を防止できる栽培容器を提供することができる。
（２）支柱挿入部が連結板に固設されているので、支柱を立設するための他の用具が不要であり、煩雑な部品管理が必要なく使用性に優れると共に支柱の設置作業性に優れた栽培容器を提供することができる。
【００２３】
請求項４に記載の考案によれば、請求項３の効果に加え、
（１）アーチ状又は略コ字形状の支柱に防鳥ネットや防風ネット、ビニルシート、蔓垣ネット等の被覆部材を支持させて栽培物を鳥や風、寒気等から保護したり蔓等を保持したりすることができ、良質の野菜や草花等を栽培することができる栽培容器を提供することができる。
（２）アーチ状又は略コ字形状の支柱を支柱挿入部に挿着するだけで、栽培容器を被覆部材で被覆することができるので、これらの設置作業を短時間で容易に行うことができる設置作業性に優れた栽培容器を提供することができる。
【考案を実施するための最良の形態】
【００２４】
以下、本考案の一実施の形態について、図１乃至図５を用いて説明する。
（実施の形態１）
図１は本実施の形態１における栽培容器の全体斜視図であり、図２（ａ）は本実施の形態１における栽培容器の平面図であり、図２（ｂ）は本実施の形態１における栽培容器の側面図であり、図３（ａ）は図２（ａ）のＡ−Ａ線の矢視断面図であり、図３（ｂ）は図２（ａ）のＢ−Ｂ線の矢視断面図であり、図３（ｃ）は連結部の要部分解斜視図である。
図中、１は本実施の形態１における栽培容器、２ａ，２ｂは端部ユニット、３は中間ユニット、４は端部ユニット２ａ，２ｂの矩形状の底壁部、５は底壁部４の対向する２辺にビス止めされ立設された対向側壁部、６は底壁部４の他の１辺にビス止めされ立設された端部側壁部、７は対向側壁部５と端部側壁部６とのＬ字状の連結部分において各側壁部５，６の外側に添設されたステンレス鋼等の金属板からなるＬ字状連結板、８は中間ユニット３の矩形状の底壁部、９は底壁部８の対向する２辺にビス止めされ立設された対向側壁部、１０は端部ユニット２ａ，２ｂと中間ユニット３とを連結する連結部、１１は連結する端部ユニット２ａ，２ｂと中間ユニット３の対向側壁部５，９の端部を突き合わせた状態で各々の対向側壁部５，９の側面に添設されたステンレス鋼等の金属板からなる連結板、１２はＬ字状連結板７及び連結板１１に形成された２のボルト挿通孔、１３は対向側壁部５，９及び端部側壁部６の両端部近傍に各々形成されたボルト孔、１４はボルト（固定部材）、１５はナット（固定部材）、１６はＬ字状連結板７及び連結板１１の略中央部等に溶接等により固設された筒状の支柱挿入部、１７は支柱挿入部１６に挿入した支柱を締め付け固定する止めネジ、１８は対向側壁部５，９及び端部側壁部６を底壁部４，８に立設固定するためのビスである。
【００２５】
ここで、端部側壁部６及び対向側壁部５，９としては、湿気に強く腐食し難い性質を有するヒバ等の木材又は廃材と合成樹脂の廃材とを粉砕して混練し板状に加熱成型した再利用材等を用い、その厚みは２５ｍｍ〜４５ｍｍ、高さは８０ｍｍ〜１２０ｍｍ、長さは４５０ｍｍ〜１２００ｍｍ程度に形成されている。また、底壁部４，８としては、端部側壁部６や対向側壁部５，９と同様の材質を用い、その厚みは５ｍｍ〜２０ｍｍ、横辺及び縦辺の長さは４５０ｍｍ×６００ｍｍ〜９００ｍｍ×１２０ｍｍ程度に形成されている。これにより、安定性が高く且つ栽培容器１を軽量にできると共に、広い設置スペースをとらず搬送性及び組立て分解作業性、使用性を向上できる。なお、ヒバ等の木材を使用することにより、木材に防腐剤や防虫剤等の薬品を注入する必要がなく、幼児や子供等に安心して使用させることができる。
【００２６】
以上のように構成された本実施の形態１における栽培容器１について、以下その使用方法を図１乃至図４を用いて説明する。
図４は栽培容器１の使用状態を示す全体斜視図である。
図４において、２０は土、２１はアーチ状の支柱、２２はビニルシート（被覆部材）である。
まず、一対の端部ユニット２ａ，２ｂと１乃至複数の中間ユニット３を建物の屋上やベランダ等の設置場所に個別に搬入する。次に、端部ユニット２ａと中間ユニット３と端部ユニット２ｂとを連結部１０で連結する。連結作業は、図３（ｃ）に示すように、まず、連結部１０において端部ユニット２ａ，２ｂの対向側壁部５の端部と中間ユニット３の対向側壁部９の端部とを突き合わせ、その突き合わせ部分の各対向側壁部５，９の側面に連結板１１を添設する。次に、連通したボルト挿通孔１２とボルト孔１３にボルト１４を挿通し、ボルト１４の端部にナット１５を螺着して締め付ける。なお、端部ユニット２ａ，２ｂの端部側壁部６と対向側壁部５はＬ字状連結板７により予め連結しておくが、その連結構造は連結板１１に替えてＬ字状連結板７を用いた点以外は連結部１０の構造と同様なので説明を省略する。
このように、端部ユニット２ａ，２ｂと中間ユニット３とを連結するだけで栽培容器１を容易に組み立てることができる。なお、栽培容器１を分解する場合は、ボルト１４及びナット１５、ビス１８を外すだけでよく、容易に各ユニット２ａ，２ｂ，３を分解できると共に、場合によっては対向側壁部５，９や端部側壁部６と底壁部４，８とを分解できる。
【００２７】
次に、図４に示すように、組み立てた栽培容器１に耐根シートを敷設し、土２０を投入する。土２０としては、腐植土等を混合した純度の高い種々の有機物を多く含む客土等であって団粒構造を有するものを用い、厚みが８０ｍｍ〜１２０ｍｍとなるように所定量投入する。
次に、必要に応じて、アーチ状の支柱２１の両端部を対向する支柱挿入部１６に挿入し、止めネジ１７で締め付けて固定すると共に、その上部にビニルシート２２を覆設する。これにより簡易的な温室を形成し、栽培物を寒気から保護することができる。なお、ビニルシート２２に替えて防鳥ネットや防風ネットを覆設することにより、栽培物を鳥や風から保護することができる。
【００２８】
また、本実施の形態１の栽培容器１において、直線状の支柱を立設するために支柱保持具を用いることができる。
図５（ａ）は支柱保持具の全体斜視図であり、図５（ｂ）は支柱保持具の使用状態を示す要部斜視図であり、図５（ｃ）は支柱保持具の別の使用状態を示す要部斜視図である。
図５において、２５は支柱保持具、２６はステンレス鋼等の金属板や合成樹脂板により形成された平板状のベース部、２７はベース部２６の所定部に溶接や接着等により立設固定された支柱挿入筒部、２８は支柱挿入筒部２７に挿入した支柱を締め付け固定する止めネジである。
栽培容器１の内部に直線状の支柱の立設する場合は、図５（ｂ）に示すように、土２０の表面から支柱挿入筒部２７の上端部が露出するように支柱保持具２５のベース部２６側を土２０に埋設する。支柱挿入筒部２７に支柱の下端部を挿入して止めネジ２８で締め付け固定することにより、支柱を栽培容器１の内部の任意の場所に立設することができる。
また、栽培容器１の側部に直線状又はアーチ状等の支柱を立設する場合は、図５（ｃ）に示すように、栽培容器１の設置面と底壁部との間にベース部２６を差し込む。支柱挿入筒部２７に支柱の下端部を挿入して止めネジ２８で締め付け固定することにより、支柱を栽培容器１の側部の任意の場所に立設することができる。
【００２９】
以上のように本実施の形態１における栽培容器１は構成されているので、以下のような作用を有する。
（１）一対の端部ユニット２ａ，２ｂと中間ユニット３とを対向側壁部５，９の側面に添設した連結板１１とボルト１４、ナット１５で容易に連結でき連結するだけで栽培容器１を容易に組み立てることができ、また、ボルト１４及びナット１５や場合によってはビス１８を外すだけで端部ユニット２ａ，２ｂと中間ユニット３、又は各部材４，８，５，９，６を容易に分解することができるので、各ユニット２ａ，２ｂ，３若しくは各部材４，８，５，９，６を個別に搬送することにより建物の屋上やベランダ等への搬入及び設置を容易に行うことができ搬送性及び設置作業性に優れる。
（２）一対の端部ユニット２ａ，２ｂ同士を直接連結したり、連結する中間ユニット３の数を増減したりすることにより、建物の屋上やベランダ等の設置スペースの広さ、栽培物の種類や植付け数、或いは管理者の管理能力等に応じて、それに適した大きさに栽培容器１を形成することができる。
（３）栽培容器１の内部に耐根シート等を敷設する必要がなく、そのまま土２０を投入するだけで栽培物を植え付けることができ、煩雑な設置作業や管理作業が必要なく家庭菜園や屋上緑化等を容易に行うことができる。
（４）連結部１０において、突き合わせた対向側壁部５，９を連結板１１とボルト１４、ナット１５により連結しているので、対向側壁部５，９の突き合わせ面の間の隙間から余分な水を円滑に排水でき、また、隣り合う底壁部４，８同士は単に突き合わされているだけなので、この突き合わせ面の間の隙間からも余分な水を円滑に排水でき、水はけがよく栽培物が育ちすぎたり根腐れ等が生じたりすることを防止できる。
（５）端部側壁部６及び対向側壁部５，９が底壁部４，８に２乃至複数箇所でビス止めされているので、端部側壁部６及び対向側壁部５，９と底壁部４，８の間に水分を排水できる程度の隙間が生じ、余分な水分を円滑に排水することができ、水はけがよく栽培物が育ちすぎたり根腐れ等が生じたりすることを確実に防止できる。また、底壁部４，８と側壁部５，６，９との当接部にワッカ等の環状部材をビス１８が挿通されるように装入してビス止めすることにより、さらに排水性を向上できる。
（６）土２０として腐植土等を混合した純度の高い種々の有機物を多く含む客土等であって団粒構造を有するものを用いているので、保肥力及び保水性が高く且つ余分な水分の水はけが良く、栽培物の育ち過ぎや根腐れを防止でき、良質の野菜や草花等を栽培できる。また、長期間使用しても硬く締まることがないので、農耕具を使用しなくても苗の植付けや栽培した芋類等の掘り出しが行える。
（７）土２０が団粒構造を有することにより、栽培容器１から余分な水分は排出されるが土２０は流出しないので、屋上やベランダ等の設置場所を汚したり排水管等に詰まったりするのを防止できる。
（８）土２０の流出を防止するための構造が不要なので、栽培容器１として端部側壁部６や対向側壁部５，９の高さが８０ｍｍ〜１２０ｍｍ程度のものを用いることができ、その側壁部の高さが８０ｍｍ〜１２０ｍｍ程度の浅いものを用いることができ、袋詰めにされた土２０を屋上やベランダ等に搬入する作業や栽培容器１への土２０の投入作業、設置作業が容易になると共に、栽培容器１の搬送性及び組立て分解作業性、使用性が向上し、容易に家庭菜園や屋上緑化等を行うことができる。
（９）支柱２１を支柱挿入部１６或いは支柱保持具２５の支柱挿入筒部２７に挿着し、支柱２１に蔓を有する植物等を支持させて植物の傾倒を防止したり、支柱２１に防鳥ネットや防風ネット、ビニルシート２２等を支持させて栽培物を鳥や風、寒気等から保護したりすることができ、良質の野菜や草花等を栽培することができると共に、専門的な知識を有さない者でもこれらの設置作業を短時間で容易に行うことができ設置作業性に優れる。
（１０）支柱挿入部１６が連結板１１に固設されているので、支柱２１を立設するための他の用具が不要であり、煩雑な部品管理が必要なく使用性に優れると共に支柱２１の設置作業性に優れる。また、支柱保持具２５を用いれば支柱を栽培容器１の内部や側部の任意の場所に容易に設置することができる。
（１１）支柱挿入部１６や支柱挿入筒部２７に止めネジ１７，２８が設けられているので、挿入された支柱を締め付けて確実に固定することができ、特に風の強い屋上等において支柱や支柱に保持されたビニルシート２２等の被覆部材が強風で飛ばされるのを防止できる。
【００３０】
（実施の形態２）
図６（ａ）は本実施の形態２における栽培容器の端部ユニットの要部平面図であり、図６（ｂ）は端部ユニットの別の例を示す要部平面図である。
図６において、３１は略半楕円形状の端部ユニット、３２は略半楕円形状に形成された端部ユニット３１の底壁部、３３ａ，３３ｂは底壁部３２の周縁部に沿って立設された湾曲側壁部材であり、対向側壁部３３Ａ，３３Ｂとそれに一体に形成された湾曲状の端部側壁部３３Ｃとを構成している。３４は湾曲側壁部材３３ａと湾曲側壁部材３３ｂの連結部分において各側壁部材３３ａ，３３ｂの外側に添設された湾曲連結板、３５は多角形状の端部ユニット、３６は多角形状に形成された端部ユニット３５の底壁部、３７ａ〜３７ｆは底壁部３６の周縁部に沿って立設された平板状側壁部材であり、平板状側壁部材３７ａ，３７ｆにより対向側壁部３７Ａ，３７Ｂが構成されると共に、平板状側壁部材３７ｂ〜３７ｅにより分割端部側壁部３７Ｃが構成されている。３８ａ〜３８ｅは側壁部材３７ａ〜３７ｆの各々の連結部分において各側壁部材３７ａ〜３７ｆの外側に添設された折曲連結板、３９ａ，３９ｂは折曲連結板３８ａ〜３８ｅの折曲部分を挟んで左右に形成された連結板構成部である。なお、３は中間ユニット、１０は連結部、１４はボルト、１５はナット、１６は支柱挿入部、１７は止めネジであり、これらは実施の形態１において説明したものと同様のものであるので同一の符号を付けて説明を省略する。
【００３１】
ここで、端部ユニット３１の平面視形状としては略半楕円形状に限られるものではなく、半円形状や砲弾状等の周縁部の一部に湾曲部分を有する形状を用いることができる。
端部ユニット３５の平面視形状としては、四角形、五角形、六角形、八角形等の多角形状に形成することができる。また、側壁部材３７ａ〜３７ｆの内いずれか１以上を湾曲状に形成して部分的に湾曲部を有する形状に形成することができる。この場合、折曲連結板３８ａ〜３８ｅの連結板構成部３９ａ，３９ｂの内いずれか一方又は両方を湾曲状の側壁部材３７ａ〜３７ｆの側面に沿うように湾曲状に形成する。これにより、端部ユニット３５として多角形状だけでなく一部が湾曲した種々の形状を用いることができる。
なお、湾曲側壁部材３３ａ，３３ｂが中間ユニット３側の端部近傍まで湾曲状に形成されている場合、或いは、側壁部材３７ａ，３７ｆと中間ユニット３の対向側壁部とを折曲状に連結する場合は、端部ユニット３１，３５と中間ユニット３の連結部１０として、上述した折曲連結板３８ａ〜３８ｅや連結板構成部３９ａ，３９ｂの内いずれか一方を湾曲状に形成した連結板と同様の構成のものを用いることができる。
【００３２】
以上のように構成された実施の形態２における栽培容器が実施の形態１と異なる点は、端部ユニット３１，３５が略半円形状又は略半楕円形状等の湾曲部分を有する形状、又は、多角形状に形成されている点である。この相異により、実施の形態１の作用に加え、以下のような作用を有する。
（１）端部ユニット３１，３５を半楕円形状や多角形状等の種々の形状に形成することができ、ユニークな形状や温かみのある形状等に形成することができ外観に優れ、設置場所の雰囲気や使用者の嗜好に応じて種々の形状のものを用いることができる。
【産業上の利用可能性】
【００３３】
以上説明したように、本考案は、建物の屋上や住宅のベランダ等に設置して野菜や草花等の等の植物を栽培するための栽培容器に関し、特に本考案によれば、建物の屋上やベランダ等に分解して搬入できるため搬入作業が容易であると共に簡単に連結でき連結することで設置スペースや栽培物の種類、管理者の要望等に応じた大きさに形成することができ使用性に優れ、且つ、余分な水が円滑に排水されるので育ちすぎたり根腐れ等が生じたりすることなく、家庭菜園や屋上緑化等を容易に行うことができる栽培容器を提供することができる。
【図面の簡単な説明】
【００３４】
【図１】実施の形態１における栽培容器の全体斜視図
【図２】（ａ）実施の形態１における栽培容器の平面図（ｂ）実施の形態１における栽培容器の側面図
【図３】（ａ）図２（ａ）のＡ−Ａ線の矢視断面図（ｂ）図２（ａ）のＢ−Ｂ線の矢視断面図（ｃ）連結部の要部分解斜視図
【図４】栽培容器の使用状態を示す全体斜視図
【図５】（ａ）支柱保持具の全体斜視図（ｂ）支柱保持具の使用状態を示す要部斜視図（ｃ）支柱保持具の別の使用状態を示す要部斜視図
【図６】（ａ）実施の形態２における栽培容器の端部ユニットの要部平面図（ｂ）端部ユニットの別の例を示す要部平面図
【符号の説明】
【００３５】
１  栽培容器
２ａ，２ｂ  端部ユニット
３  中間ユニット
４，８  底壁部
５，９  対向側壁部
６  端部側壁部
７  Ｌ字状連結板
１０  連結部
１１  連結板
１２  ボルト挿通孔
１３  ボルト孔
１４  ボルト（固定部材）
１５  ナット（固定部材）
１６  支柱挿入部
１７  止めネジ
１８  ビス
２０  土
２１  支柱
２２  ビニルシート（被覆部材）
２５  支柱保持具
２６  ベース部
２７  支柱挿入筒部
２８  止めネジ
３１，３５  端部ユニット
３２，３６  底壁部
３３ａ，３３ｂ  湾曲側壁部材
３３Ａ，３３Ｂ，３７Ａ，３７Ｂ  対向側壁部
３３Ｃ  端部側壁部
３４  湾曲連結板
３７ａ〜３７ｆ  平板状側壁部材
３７Ｃ  分割端部側壁部
３８ａ〜３８ｅ  折曲連結板
３９ａ，３９ｂ  連結板構成部
【図１】
0003112587.tif 000003
【図２】
0003112587.tif 000004
【図３】
0003112587.tif 000005
【図４】
0003112587.tif 000006
【図５】
0003112587.tif 000007
【図６】
0003112587.tif 000008